(57)【要約】      （修正有）【課題】金属封止カバーの押圧によるゴム封止リングの摩耗および損傷を回避できるシールアセンブリを提供する。【解決手段】シールアセンブリは、細長い要素１０が通過する貫通孔が形成されたハウジング１００と、細長い要素上にスリーブ接続するように適合されたゴム封止スリーブ４００と、ゴム封止スリーブ上にスリーブ接続し、ハウジングに連結するように適合された金属封止カバー２００とを含む。金属封止カバーに押圧されたゴム封止スリーブは弾性変形し、細長い要素と貫通孔との間の嵌合境界面を封止する。シールアセンブリは、金属封止カバーをゴム封止スリーブから物理的に分離するように、金属封止カバーとゴム封止スリーブとの間にプラスチックブッシング３００をさらに含む。【選択図】図２
2018102114.tif 000002
【特許請求の範囲】
【請求項１】
細長い要素（１０）が通過することを可能にするために貫通孔（１０１）が形成されたハウジング（１００）と、
前記細長い要素（１０）上にスリーブ接続するように適合されたゴム封止スリーブ（４００）と、
前記ゴム封止スリーブ（４００）上にスリーブ接続するように適合され、前記ハウジング（１００）に連結するように適合された金属封止カバー（２００）とを備え、
前記金属封止カバー（２００）は、前記ゴム封止スリーブ（４００）を押圧するように構成され、その結果、前記ゴム封止スリーブ（４００）が弾性変形し、前記細長い要素（１０）と前記ハウジング（１００）の前記貫通孔（１０１）との間の嵌合境界面を封止する、シールアセンブリであって
前記金属封止カバー（２００）を前記ゴム封止スリーブ（４００）から物理的に分離するように、前記金属封止カバー（２００）と前記ゴム封止スリーブ（４００）との間に設けられたプラスチックブッシング（３００）をさらに備える、
シールアセンブリ。
【請求項２】
前記ゴム封止スリーブ（４００）は、前記ハウジング（１００）の前記貫通孔（１０１）内へ組み立てられるように適合された前部（４１０）と、前記金属封止カバー（２００）がそこにスリーブ接続するように適合されている後部（４２０）とを備える、
請求項１に記載のシールアセンブリ。
【請求項３】
前記ゴム封止スリーブ（４００）の前記後部（４２０）は、円筒形外面を有する第１の直線部分（４２１）と、円錐形外面を有する第１の傾斜部分（４２２）とを備え、
前記第１の直線部分（４２１）は、前記第１の傾斜部分（４２２）の後側に位置し、前記第１の傾斜部分（４２２）の前記円錐形外面は、前記直線部分（４２１）から前記前部（４１０）に向かって徐々に拡大している、
請求項２に記載のシールアセンブリ。
【請求項４】
前記プラスチックブッシング（３００）は、円筒形の形状を有する第２の直線部分（３２０）と、円錐形の形状を有する第２の傾斜部分（３１０）とを備え、前記第２の直線部分（３２０）は、前記ゴム封止スリーブ（４００）の前記第１の直線部分（４２１）上にスリーブ接続するように適合され、前記第２の傾斜部分（３１０）は、前記ゴム封止スリーブ（４００）の前記第１の傾斜部分（４２２）上にスリーブ接続するように適合されている、
請求項３に記載のシールアセンブリ。
【請求項５】
前記プラスチックブッシング（３００）の前記第２の傾斜部分（３１０）の弾性を増大させるように、前記プラスチックブッシング（３００）の前記第２の傾斜部分（３１０）内にノッチ（３１１）が形成されている、
請求項４に記載のシールアセンブリ。
【請求項６】
前記金属封止カバー（２００）は、取付け孔（２０１）を有し、前記取付け孔（２０１）の内面は、円筒形の形状を有する第３の直線部分（２２０）と、円錐形の形状を有する第３の傾斜部分（２１０）とを備え、前記第３の直線部分（２２０）は、締まり嵌めによって前記プラスチックブッシング（３００）の前記第２の直線部分（３２０）上にスリーブ接続するように適合され、前記第３の傾斜部分（２１０）は、締まり嵌めによって前記プラスチックブッシング（３００）の前記第２の傾斜部分（３１０）上にスリーブ接続するように適合されている、
請求項４に記載のシールアセンブリ。
【請求項７】
前記ゴム封止スリーブ（４００）の前記前部（４１０）は、前記ゴム封止スリーブ（４００）の前記後部（４２０）から前方へ徐々に先細りする円錐形外面（４１１）を有し、
前記ハウジング（１００）の前記貫通孔（１０１）は、内側から外へ徐々に拡大して前記ゴム封止スリーブ（４００）の前記前部（４１０）の前記円錐形外面（４１１）と嵌合するように適合された円錐形内面（１１０）を有する、
請求項２に記載のシールアセンブリ。
【請求項８】
前記金属封止カバー（２００）内に複数の連結孔（２０２）が形成され、前記ハウジング（１００）内で前記複数の連結孔（２０２）にそれぞれ対応する位置に複数のねじ付き孔（１０２）が形成され、
前記シールアセンブリは、前記金属封止カバー（２００）を前記ハウジング（１００）に連結するために、前記複数の連結孔（２０２）をそれぞれ通過して前記複数のねじ付き孔（１０２）内へそれぞれねじ込まれるように適合された複数のねじ付き連結部材（５００）をさらに備える、
請求項１に記載のシールアセンブリ。
【請求項９】
前記細長い要素（１０）は、ケーブルを含む、請求項１に記載のシールアセンブリ。
【請求項１０】
前記ゴム封止スリーブ（４００）の前記第１の傾斜部分（４２２）、前記プラスチックブッシング（３００）の前記第２の傾斜部分（３１０）、および前記金属封止カバー（２００）の前記第３の傾斜部分（２１０）はそれぞれ、１〜３０度のテーパを有する、
請求項６に記載のシールアセンブリ。
【請求項１１】
前記ゴム封止スリーブ（４００）の前記第１の傾斜部分（４２２）、前記プラスチックブッシング（３００）の前記第２の傾斜部分（３１０）、および前記金属封止カバー（２００）の前記第３の傾斜部分（２１０）はそれぞれ、５〜１５度のテーパを有する、
請求項６に記載のシールアセンブリ。
【請求項１２】
前記ゴム封止スリーブ（４００）の前記第１の傾斜部分（４２２）、前記プラスチックブッシング（３００）の前記第２の傾斜部分（３１０）、および前記金属封止カバー（２００）の前記第３の傾斜部分（２１０）はそれぞれ、１０度のテーパを有する、
請求項６に記載のシールアセンブリ。
【請求項１３】
前記ゴム封止スリーブ（４００）の前記前部（４１０）の前記円錐形外面（４１１）および前記ハウジング（１００）の前記貫通孔（１０１）の前記円錐形内面（１１０）はそれぞれ、１〜２０度のテーパを有する、
請求項７に記載のシールアセンブリ。
【請求項１４】
前記ゴム封止スリーブ（４００）の前記前部（４１０）の前記円錐形外面（４１１）および前記ハウジング（１００）の前記貫通孔（１０１）の前記円錐形内面（１１０）はそれぞれ、３〜１０度のテーパを有する、
請求項１３に記載のシールアセンブリ。
【請求項１５】
前記ゴム封止スリーブ（４００）の前記前部（４１０）の前記円錐形外面（４１１）および前記ハウジング（１００）の前記貫通孔（１０１）の前記円錐形内面（１１０）はそれぞれ、６度のテーパを有する、
請求項７に記載のシールアセンブリ。
【発明の詳細な説明】
【技術分野】
【０００１】
関連出願の相互参照
本出願は、開示全体が参照により本明細書に組み込まれている、中国国家知識産権局に２０１６年１１月２８日に出願された中国特許出願第ＣＮ２０１６２１２８３２７７．０号の利益を主張するものである。
【０００２】
本開示は、シールアセンブリに関する。
【背景技術】
【０００３】
従来技術では、多くの場合、ケーブルの連結端をハウジング内で気密封止して維持することが必要である。たとえば、電化鉄道の適用分野では、防水性を提供するために、ケーブルの連結端をハウジング内において封止状態で保持しなければならない。現在、電化鉄道の適用分野では、ケーブルを封止するシールアセンブリは、概して、ハウジング、ゴム封止リング、および金属封止カバーを備える。ケーブルの連結端は、ハウジング内に形成された貫通孔を通ってハウジング内へ導入される。ゴム封止リングは、ケーブル上に直接スリーブ接続され、ハウジングの貫通孔内へ挿入される。金属封止カバーは、ゴム封止リング上にスリーブ接続され、ハウジングの外壁に連結される。
【０００４】
従来技術では、金属封止カバーは、ゴム封止リングに直接押し付けられ、その結果、ゴム封止リングが弾性変形する。それによって、ゴム封止リングは、ケーブルとハウジングの貫通孔との間の嵌合境界面を封止することができる。
【０００５】
しかし、従来技術のシールアセンブリは、次の技術的な問題を有することがある。
（１）金属封止カバーの硬度がゴム封止リングの硬度よりはるかに大きく、したがって金属封止カバーがゴム封止リングに直接押し付けられるとき、ゴム封止リングが金属封止カバーによって容易に摩耗することがあり、封止できなくなる可能性がある。
（２）金属封止カバーは、締まり嵌めによってゴム封止リング上にスリーブ接続され、したがって金属封止カバーとゴム封止リングとの間に大きな摩擦が生じ、金属封止カバーをゴム封止リングから取り外すのが困難になる。
（３）ゴム封止リングは、締まり嵌めによってハウジングの貫通孔内へ組み立てられ、ゴム封止リングとハウジングの貫通孔との間に大きな摩擦が生じ、ゴム封止リングをハウジングから取り外すのが困難になる。
【発明の概要】
【発明が解決しようとする課題】
【０００６】
本開示は、上記その他の欠点または問題の少なくとも１つの態様を克服または軽減するためになされたものである。
【０００７】
本開示の目的は、ゴム封止リングが押圧されたときに金属封止カバーによって摩耗および損傷されるのを実質上回避することができるシールアセンブリを提供することである。
【課題を解決するための手段】
【０００８】
本開示の態様によれば、細長い要素が通過することを可能にするために貫通孔が形成されたハウジングと、細長い要素上にスリーブ接続するように適合されたゴム封止スリーブと、ゴム封止スリーブ上にスリーブ接続するように適合され、ハウジングに連結するように適合された金属封止カバーとを備えるシールアセンブリが提供され、金属封止カバーは、ゴム封止スリーブを押圧するように構成され、その結果、ゴム封止スリーブが弾性変形し、細長い要素とハウジングの貫通孔との間の嵌合境界面を封止し、シールアセンブリは、金属封止カバーをゴム封止スリーブから物理的に分離するように、金属封止カバーとゴム封止スリーブとの間に設けられたプラスチックブッシングをさらに備える。
【０００９】
本開示の例示的な実施形態によれば、ゴム封止スリーブは、ハウジングの貫通孔内へ組み立てられるように適合された前部と、金属封止カバーがそこにスリーブ接続するように適合されている後部とを備える。
【００１０】
本開示の別の例示的な実施形態によれば、ゴム封止スリーブの後部は、円筒形外面を有する第１の直線部分と、円錐形外面を有する第１の傾斜部分とを備え、第１の直線部分は、第１の傾斜部分の後側に位置し、第１の傾斜部分の円錐形外面は、直線部分から前部に向かって徐々に拡大している。
【００１１】
本開示の別の例示的な実施形態によれば、プラスチックブッシングは、円筒形の形状を有する第２の直線部分と、円錐形の形状を有する第２の傾斜部分とを備え、第２の直線部分は、ゴム封止スリーブの第１の直線部分上にスリーブ接続するように適合され、第２の傾斜部分は、ゴム封止スリーブの第１の傾斜部分上にスリーブ接続するように適合されている。
【００１２】
本開示の別の例示的な実施形態によれば、プラスチックブッシングの第２の傾斜部分の弾性を増大させるように、プラスチックブッシングの第２の傾斜部分内にノッチが形成されている。
【００１３】
本開示の別の例示的な実施形態によれば、金属封止カバーは、取付け孔を有し、取付け孔の内面は、円筒形の形状を有する第３の直線部分と、円錐形の形状を有する第３の傾斜部分とを備え、第３の直線部分は、締まり嵌めによってプラスチックブッシングの第２の直線部分上にスリーブ接続するように適合され、第３の傾斜部分は、締まり嵌めによってプラスチックブッシングの第２の傾斜部分上にスリーブ接続するように適合されている。
【００１４】
本開示の別の例示的な実施形態によれば、ゴム封止スリーブの前部は、ゴム封止スリーブの後部から前方へ徐々に先細りする円錐形外面を有し、ハウジングの貫通孔は、内側から外へ徐々に拡大してゴム封止スリーブの前部の円錐形外面と嵌合するように適合された円錐形内面を有する。
【００１５】
本開示の別の例示的な実施形態によれば、金属封止カバー内に複数の連結孔が形成され、ハウジング内で複数の連結孔にそれぞれ対応する位置に複数のねじ付き孔が形成され、シールアセンブリは、金属封止カバーをハウジングに連結するために、複数の連結孔をそれぞれ通過して複数のねじ付き孔内へそれぞれねじ込まれるように適合された複数のねじ付き連結部材をさらに備える。
【００１６】
本開示の別の例示的な実施形態によれば、細長い要素は、ケーブルを含む。
【００１７】
本開示の別の例示的な実施形態によれば、ゴム封止スリーブの第１の傾斜部分、プラスチックブッシングの第２の傾斜部分、および金属封止カバーの第３の傾斜部分はそれぞれ、１〜３０度のテーパを有する。
【００１８】
本開示の別の例示的な実施形態によれば、ゴム封止スリーブの第１の傾斜部分、プラスチックブッシングの第２の傾斜部分、および金属封止カバーの第３の傾斜部分はそれぞれ、５〜１５度のテーパを有する。
【００１９】
本開示の別の例示的な実施形態によれば、ゴム封止スリーブの第１の傾斜部分、プラスチックブッシングの第２の傾斜部分、および金属封止カバーの第３の傾斜部分はそれぞれ、１０度のテーパを有する。
【００２０】
本開示の別の例示的な実施形態によれば、ゴム封止スリーブの前部の円錐形外面およびハウジングの貫通孔の円錐形内面はそれぞれ、１〜２０度のテーパを有する。
【００２１】
本開示の別の例示的な実施形態によれば、ゴム封止スリーブの前部の円錐形外面およびハウジングの貫通孔の円錐形内面はそれぞれ、３〜１０度のテーパを有する。
【００２２】
本開示の別の例示的な実施形態によれば、ゴム封止スリーブの前部の円錐形外面およびハウジングの貫通孔の円錐形内面はそれぞれ、６度のテーパを有する。
【００２３】
本開示の上記の様々な例示的な実施形態では、プラスチックブッシングは、金属封止カバーをゴム封止部材から物理的に分離する。それによって、金属封止カバーは、ゴム封止部材に直接接触しなくなり、ゴム封止部材が金属封止カバーによって押圧されたときに摩耗および損傷されるのを実質上回避することができる。
【００２４】
本開示のいくつかの例示的な実施形態では、ゴム封止部材、プラスチックブッシング、および金属封止カバーには、円錐形表面が互いに嵌合するように形成され、金属封止カバーをゴム封止部材から取り外すのを容易にする。
【００２５】
本開示のいくつかの例示的な実施形態では、ゴム封止部材およびハウジングには、円錐形表面が互いに嵌合するように形成され、ゴム封止部材をハウジングから取り外すのを容易にする。
【００２６】
本開示の他の目的および利点は、添付の図面と併せて本開示の以下の説明から明らかになり、本開示の包括的な理解を与えることができる。
【００２７】
本開示の上記その他の特徴は、本開示の例示的な実施形態について添付の図面を参照して詳細に説明することによってより明らかになる。
【図面の簡単な説明】
【００２８】
【図１】本開示の例示的な実施形態によるシールアセンブリの例示的な斜視図である。
【図２】図１のシールアセンブリの長手方向断面図である。
【図３】図１のシールアセンブリのゴム封止スリーブの例示的な斜視図である。
【図４】図３のゴム封止スリーブの平面図である。
【図５】図１のシールアセンブリのプラスチックブッシングの例示的な斜視図である。
【図６】図５のプラスチックブッシングの断面図である。
【図７】図１のシールアセンブリのハウジングの例示的な斜視図である。
【図８】図７のハウジングの断面図である。
【図９】図１のシールアセンブリの金属封止カバーの例示的な斜視図である。
【図１０】図９の金属封止カバーの断面図である。
【発明を実施するための形態】
【００２９】
以下、本開示の例示的な実施形態について、添付の図面を参照して詳細に説明する。添付の図面では、同じ参照番号が同様の要素を指す。しかし、本開示は、多くの異なる形態で実施することができ、本明細書に記載の実施形態に限定されると解釈されるべきではなく、これらの実施形態は、本開示が徹底的かつ完璧になり、本開示の概念を当業者に完全に伝えるように提供される。
【００３０】
以下の詳細な説明では、説明の目的で、開示する実施形態の徹底的な理解を提供するために、多数の具体的な詳細について述べる。しかし、これらの具体的な詳細がなくても１つまたは複数の実施形態を実行することができることが明らかである。他の場合、図面を簡略にするために、よく知られている構造およびデバイスは概略的に示す。
【００３１】
本開示の一般概念によれば、細長い要素が通過することを可能にするために貫通孔が形成されたハウジングと、細長い要素の上に嵌るように適合されたゴム封止スリーブと、ゴム封止スリーブの上に嵌るように適合され、ハウジングに連結するように適合された金属封止カバーとを備えるシールアセンブリが提供され、金属封止カバーは、ゴム封止スリーブを押圧するように構成され、その結果、ゴム封止スリーブが弾性変形し、細長い要素とハウジングの貫通孔との間の嵌合境界面を封止し、シールアセンブリは、金属封止カバーをゴム封止スリーブから物理的に分離するように、金属封止カバーとゴム封止スリーブとの間に設けられたプラスチックブッシングをさらに備える。
【００３２】
図１は、本開示の例示的な実施形態によるシールアセンブリの例示的な斜視図であり、図２は、図１のシールアセンブリの長手方向断面図である。
【００３３】
一実施形態では、図１および図２に示すように、シールアセンブリは主に、ハウジング１００、金属封止カバー２００、プラスチックブッシング３００、およびゴム封止スリーブまたはリング４００を備える。
【００３４】
図７は、図１のシールアセンブリのハウジング１００の例示的な斜視図であり、図８は、図７のハウジング１００の断面図である。
【００３５】
一実施形態では、図１〜２および図７〜８に示すように、ハウジング１００は、細長い要素１０が通過することを可能にするために貫通孔１０１が形成される。ゴム封止スリーブ４００は、細長い要素１０上にスリーブ接続しまたは嵌るように適合される。
【００３６】
一実施形態では、図１〜２に示すように、金属封止カバー２００は、ゴム封止スリーブ４００上にスリーブ接続しまたは嵌るように適合され、ハウジング１００に連結するように適合される。プラスチックブッシング３００は、金属封止カバー２００をゴム封止スリーブ４００から物理的に分離するように、金属封止カバー２００とゴム封止スリーブ４００との間に設けられる。
【００３７】
一実施形態では、図１〜２に示すように、金属封止カバー２００がハウジング１００に連結されたとき、金属封止カバー２００は、プラスチックブッシング３００を押圧し、プラスチックブッシング３００を介してゴム封止スリーブ４００を押圧し、その結果、ゴム封止スリーブ４００が弾性変形し、細長い要素１０とハウジング１００の貫通孔１０１との間の嵌合境界面を封止する。
【００３８】
図３は、図１のシールアセンブリのゴム封止スリーブ４００の例示的な斜視図であり、図４は、図３のゴム封止スリーブ４００の平面図である。
【００３９】
一実施形態では、図３および図４に示すように、ゴム封止スリーブ４００は、ハウジング１００の貫通孔１０１内へ組み立てられるように適合された前部４１０と、金属封止カバー２００がそこにスリーブ接続するように適合されている後部４２０とを備える。
【００４０】
一実施形態では、図３および図４に示すように、ゴム封止スリーブ４００の後部４２０は、円筒形外面を有する第１の直線部分４２１と、円錐形外面を有する第１の傾斜部分４２２とを備える。第１の直線部分４２１は、第１の傾斜部分４２２の後側に位置し、第１の傾斜部分４２２の円錐形外面は、直線部分４２１から前部４１０に向かって徐々に拡大している。
【００４１】
図５は、図１のシールアセンブリのプラスチックブッシング３００の例示的な斜視図であり、図６は、図５のプラスチックブッシング３００の断面図である。
【００４２】
一実施形態では、図５および図６に示すように、プラスチックブッシング３００は、円筒形の形状を有する第２の直線部分３２０と、円錐形の形状を有する第２の傾斜部分３１０とを備え、第２の直線部分３２０は、ゴム封止スリーブ４００の第１の直線部分４２１上にスリーブ接続しまたは嵌るように適合され、第２の傾斜部分３１０は、ゴム封止スリーブ４００の第１の傾斜部分４２２上にスリーブ接続しまたは嵌るように適合されている。
【００４３】
一実施形態では、図５および図６に示すように、プラスチックブッシング３００の第２の傾斜部分３１０の弾性を増大させるように、プラスチックブッシング３００の第２の傾斜部分３１０内にノッチ３１１が形成されている。
【００４４】
図９は、図１のシールアセンブリの金属封止カバー２００の例示的な斜視図であり、図１０は、図９の金属封止カバー２００の断面図である。
【００４５】
一実施形態では、図９および図１０に示すように、金属封止カバー２００は、取付け孔２０１を有し、取付け孔２０１の内面は、円筒形の形状を有する第３の直線部分２２０と、円錐形の形状を有する第３の傾斜部分２１０とを備え、第３の直線部分２２０は、締まり嵌めによってプラスチックブッシング３００の第２の直線部分３２０上にスリーブ接続しまたは嵌るように適合され、第３の傾斜部分２１０は、締まり嵌めによってプラスチックブッシング３００の第２の傾斜部分３１０上にスリーブ接続しまたは嵌るように適合されている。
【００４６】
一実施形態では、図３〜４および図７〜８に示すように、ゴム封止スリーブ４００の前部４１０は、ゴム封止スリーブ４００の後部４２０から前方へ徐々に先細りする円錐形外面４１１を有する。ハウジング１００の貫通孔１０１は、内側から外へ徐々に拡大してゴム封止スリーブ４００の前部４１０の円錐形外面４１１と嵌合するように適合された円錐形内面１１０を有する。
【００４７】
一実施形態では、図１〜２および図７〜８に示すように、金属封止カバー２００内に複数の連結孔２０２が形成され、ハウジング１００内には、複数の連結孔２０２にそれぞれ対応する（たとえば、位置合わせされる）複数のねじ付き孔１０２が形成されている。シールアセンブリは、金属封止カバー２００をハウジング１００に連結するために、複数の連結孔２０２をそれぞれ通過して複数のねじ付き孔１０２内へそれぞれねじ込まれるように適合された複数のねじ付き連結部材５００をさらに備える。
【００４８】
一実施形態では、図１〜２に示すように、細長い要素１０は、ケーブルを備えることができる。
【００４９】
本開示の例示的な実施形態では、図３〜１０に示すように、ゴム封止スリーブ４００の第１の傾斜部分４２２、プラスチックブッシング３００の第２の傾斜部分３１０、および金属封止カバー２００の第３の傾斜部分３１０はそれぞれ、１〜３０度のテーパを有することができ、好ましくは５〜１５度のテーパを有することができ、より好ましくは１０度のテーパを有することができる。
【００５０】
本開示の例示的な実施形態では、図３〜４および図７〜８に示すように、ゴム封止スリーブ４００の前部４１０の円錐形外面４１１およびハウジング１００の貫通孔１０１の円錐形内面１１０はそれぞれ、１〜２０度のテーパを有することができ、好ましくは３〜１０度のテーパを有することができる、より好ましくは６度のテーパを有することができる。
【００５１】
上記の実施形態は例示的であり、制限的でないことを、当業者には理解されたい。たとえば、当業者であれば、構成上または原理上矛盾することなく、上記の実施形態に多くの修正を加えることができ、異なる実施形態に記載する様々な特徴を互いに自由に組み合わせることができる。
【００５２】
いくつかの例示的な実施形態について図示および説明したが、これらの実施形態では、本開示の原理および精神から逸脱することなく、様々な変更または修正を加えることができることが、当業者には理解されよう。本開示の範囲は、特許請求の範囲およびその均等物に定義される。
【００５３】
本明細書では、「ａ」または「ａｎ」という単語に続く単数形で示した要素は、その除外が明示されない限り、前記要素またはステップの複数を除外するものではないと理解されたい。さらに、本開示の「一実施形態（ｏｎｅ  ｅｍｂｏｄｉｍｅｎｔ）」または「一実施形態（ａｎ  ｅｍｂｏｄｉｍｅｎｔ）」への言及は、同じく記載の特徴を組み込む追加の実施形態の存在を除外すると解釈されることを意図するものではない。さらに、逆の内容が明示されない限り、特定の特性を有する１つまたは複数の要素を「備える（ｃｏｍｐｒｉｓｉｎｇ）」または「有する（ｈａｖｉｎｇ）」実施形態は、その特性を有していない追加のそのような要素を含むこともできる。
【図１】
2018102114.tif 000003
【図２】
2018102114.tif 000004
【図３】
2018102114.tif 000005
【図４】
2018102114.tif 000006
【図５】
2018102114.tif 000007
【図６】
2018102114.tif 000008
【図７】
2018102114.tif 000009
【図８】
2018102114.tif 000010
【図９】
2018102114.tif 000011
【図１０】
2018102114.tif 000012
【外国語明細書】
2018102114000001.pdf